(57)【特許請求の範囲】
【請求項１】
遊技機の裏側に、遊技盤の裏面側を覆うようにカバー部材を配設した遊技機の部品取付構造において、
前記カバー部材に、前記遊技盤側に窪んだ部品取付部を形成し、この部品取付部に、少なくともパチンコ球払出装置とそれよりも上流側のパチンコ球流路の構成部品を前記カバー部材の外側に位置させるように取り付けたことを特徴とする遊技機の部品取付構造。
【請求項２】
前記カバー部材は、ヒンジ機構を介して遊技機の機枠に開閉可能に取り付けられ、
前記遊技盤は、前記カバー部材を開放した状態で前記機枠に後方から取り付けられるように構成されていることを特徴とする請求項１に記載の遊技機の部品取付構造。
【発明の詳細な説明】
【技術分野】
【０００１】
本発明は、遊技盤の裏面側に配置した部品取付構造を改良した遊技機の部品取付構造に関するものである。
【背景技術】
【０００２】
従来の一般的なパチンコ機は、遊技盤の裏面側に、パチンコ機全体の制御を管理するメイン制御基板、球払出装置を制御する払出制御基板等、各種の部品が配置されている。これらの各種の部品は、パチンコホールでメンテナンスできるように、遊技盤の裏側から修理や交換ができるようになっている。
【先行技術文献】
【特許文献】
【０００３】
【特許文献１】特開平１０−２２５５６２号公報
【発明の概要】
【発明が解決しようとする課題】
【０００４】
このように、従来のパチンコ機は、メンテナンス性を優先した構造となっているため、パチンコ機の裏側からであれば、遊技盤の裏面側の主要部品でも比較的容易に手を触れることができ、部品の不正改造、不正交換に対してほとんど無防備の状態となっている。このため、制御基板、ＲＯＭ等の主要部品の不正改造や不正交換を防止できないという問題がある。
また、遊技盤の裏面側の部品のうち、球タンクから球払出装置までのパチンコ球流路の構成部品は、他の部品に比べて球詰り等のトラブルが発生しやすいという事情がある。
【０００５】
本発明はこれらの事情を考慮してなされたものであり、従ってその目的は、遊技盤の裏面側の少なくとも主要部品の不正改造や不正交換を防止できると共に、メンテナンス性を確保することができる遊技機の部品取付構造を提供することにある。
【課題を解決するための手段】
【０００６】
請求項１に係る発明は、遊技機の裏側に、遊技盤の裏面側を覆うようにカバー部材を配設した遊技機の部品取付構造において、前記カバー部材に、前記遊技盤側に窪んだ部品取付部を形成し、この部品取付部に、少なくともパチンコ球払出装置とそれよりも上流側のパチンコ球流路の構成部品を前記カバー部材の外側に位置させるように取り付けたことを特徴とするものである。
【０００７】
この構成では、パチンコ球払出装置とそれよりも上流側のパチンコ球流路の構成部品がカバー部材の外側に配置されているので、球詰り等のトラブルが発生しやすい球払出装置やその上流側のパチンコ球流路の構成部品の修理・点検を、パチンコホールでも容易に実施することができ、遊技盤の裏面をカバー部材で覆った不正防止構造をとりながら、メンテナンス性を確保することができる。
【０００８】
この場合、請求項２のように、カバー部材を、ヒンジ機構を介して遊技機の機枠に開閉可能に取り付け、前記カバー部材を開放した状態で遊技盤を機枠に後方から取り付けるように構成すると良い。
【図面の簡単な説明】
【０００９】
【図１】図１は本発明の実施形態（１）を示すパチンコ機の縦断側面図である。
【図２】図２は実施形態（１）のパチンコ機の横断面図である。
【図３】図３は本発明の実施形態（２）を示すパチンコ機の縦断側面図である。
【図４】図４は実施形態（２）のパチンコ機の横断面図である。
【図５】図５は本発明の実施形態（３）を示すパチンコ機の横断面図である。
【図６】図６は本発明の実施形態（４）を示すパチンコ機の横断面図である。
【図７】図７は本発明の実施形態（５）を示すパチンコ機の横断面図である。
【発明を実施するための形態】
【００１０】
［実施形態（１）］
以下、本発明の実施形態（１）を図１及び図２に基づいて説明する。
まず、図１に基づいて、パチンコ機全体の概略構成を説明する。パチンコ機の機枠１２に遊技盤１３が後方（図１中では左方から）から取り付けられ、この遊技盤１３の盤面に、入賞口や入賞装置（ともに図示せず）等が設けられている。機枠１２の前面下部には、前面パネル１４が設けられ、この前面パネル１４に上皿１５が設けられている。上皿１５の下方には、下皿１６が設けられている。遊技盤１３の裏面下部には、入賞球を集める集合樋１７が設けられている。
【００１１】
また、遊技盤１３の裏面側には、透明の樹脂で形成されたカバー部材１８が取り付けられ、遊技盤１３の上端部後方から遊技盤１３下方部の上皿１５後方に至る範囲に配置された全ての部品が、このカバー部材１８によって覆われている。このカバー部材１８の後壁内面には、パチンコ球を貯溜する球タンク１９と、この球タンク１９から流れ出るパチンコ球を整列状態で流下させるタンクレール２０と、このタンクレール２０の下端に接続された球供給路２１と、この球供給路２１の下端に接続された球払出装置２２と、この球払出装置２２から払い出されるパチンコ球を上皿１５に流下させる球流下路２３とが組み付けられている。また、球払出装置２２の左方には、パチンコ機全体の制御を管理するメイン制御基板（図示せず）を収納した基板ケース２５が配置され（図２参照）、この基板ケース２５もカバー部材１８の後壁内面に組み付けられている。
【００１２】
次に、カバー部材１８の取付構造について説明する。図２に示すように、カバー部材１８の右端部はヒンジ機構２６を介して機枠１２に取り付けられ、遊技盤１３側の電気回路とカバー部材１８側の電気回路とを電気的に接続する配線（図示せず）が、このヒンジ機構２６側にまとめられている。これにより、カバー部材１８を後述するワンウェイネジ２８で封印していない状態では、カバー部材１８がヒンジ機構２６を中心にして開閉できるようになっている。
【００１３】
一方、カバー部材１８の左端部、上端部及び下端部には、それぞれ複数の固定片部２７が一体成形され、機枠１２には、これら固定片部２７に対応する取付部２９が一体成形されている。尚、カバー部材１８の左端部にのみ固定片部２７を形成するようにしても良い。これら複数の固定片部２７のうち所定の固定片部２７の挿通孔にワンウェイネジ２８（封印手段）を挿通して取付部２９に締め込むことで、カバー部材１８が封印される。ワンウェイネジ２８の頭部は、ドライバー等では緩めることができない形状に形成されているため、カバー部材１８の固定片部２７や機枠１２の取付部２９を破壊しない限り、カバー部材１８は開放できないようになっている。このようにして封印されたカバー部材１８と遊技盤１３との間の閉鎖空間内には、遊技盤１３の裏面側の各種の部品（少なくとも各制御基板等の主要な電気・電子部品を含む）が閉じ込められている。
尚、前述した基板ケース２５の上ケース２５ａと下ケース２５ｂも、このワンウェイネジ２８を用いて封印されている。
【００１４】
以上のように構成したパチンコ機は、製造時に、遊技盤１３の裏面側に各種の部品を組み付けた後、カバー部材１８で遊技盤１３の裏面側を閉鎖し、所定の固定片部２７に挿通したワンウェイネジ２８を取付部２９に締め込むことで、カバー部材１８を封印し、遊技盤１３とカバー部材１８との間の閉鎖空間内に遊技盤１３の裏面側の各種の部品（各制御基板等の主要な電気・電子部品を含む）を閉じ込める。これにより、出荷後は、カバー部材１８内の部品には手を触れることができないため、部品の不正改造、不正交換を未然に防止することができる。
【００１５】
遊技盤１３の交換や部品の修理・点検等のメンテナンス作業を行う時は、パチンコ機を製造業者、代理店等に回収する。そして、ワンウェイネジ２８で封印された固定片部２７を切断し、カバー部材１８をヒンジ機構２６を中心に開放して、所定のメンテナンス作業を行う。作業終了後、未使用の固定片部２７を用いてワンウェイネジ２８によりカバー部材１８を再び封印する。
【００１６】
このようにすれば、メンテナンス作業毎に、固定片部２７を切断した痕跡が残るので、正規に行われたメンテナンス作業の回数を把握することができる。従って、もし、正規のメンテナンス作業以外に、固定片部２７を切断してカバー部材１８を開放して部品の不正改造、不正交換を行ったとしても、それを早期に発見することができ、不正行為による被害を最小限に抑えることができる。
【００１７】
尚、本実施形態（１）では、カバー部材１８の右端部は、ヒンジ機構２６を介して機枠１２に取り付けるようにしたが、ヒンジ機構２６を用いずに、カバー部材１８の右端部もワンウェイネジ２８で封印するようにしても良い。また、カバー部材１８に形成する固定片部２７の数を１回の封印分だけにして、メンテナンス作業実施毎に新しいカバー部材１８に取り替えるようにしても良い。
【００１８】
また、本実施形態（１）では、カバー部材１８の内面に、球タンク１９から球流下路２３までのパチンコ球流路の構成部品と基板ケース２５を設けるようにしているので、これらのパチンコ球流路の構成部品と基板ケース２５の取付位置をカバー部材１８の内面に移動したことによって生じた空きスペースを、他の部品の配置スペースとして利用することができ、近年のパチンコ機の多機能化に伴う部品点数増加やセンター役物の大型化に対応することができる。
【００１９】
更に、本実施形態（１）では、カバー部材１８を透明の樹脂で形成しているので、遊技盤１３の裏面側の部品をカバー部材１８で覆ってしまっても、カバー部材１８の内部の様子を見て確認することができ、トラブル等を発見することができる。尚、カバー部材１８の一部のみを透明に形成するようにしても良い。
【００２０】
［実施形態（２）］
次に、図３及び図４を用いて本発明の実施形態（２）を説明する。但し、前記実施形態（１）と実質的に同じ部分には、同一符号を付して説明を省略する。
【００２１】
前記実施形態（１）では、カバー部材１８の後壁内面に、球タンク１９から球流下路２３までのパチンコ球流路の構成部品を設けるようしたが、本実施形態（２）では、球払出装置２２とその上流側のパチンコ球流路の構成部品は、他の部品に比べてトラブル（球詰り等）が発生しやすい箇所であることを考慮して、球払出装置２２とその上流側のパチンコ球流路の構成部品をカバー部材３０の外側に設けるようにしている。
【００２２】
具体的には、カバー部材３０の後壁外面のうち、球タンク１９、タンクレール２０、球供給路２１、球払出装置２２の配置位置に対応する部分に、他の部分よりも前側に窪んだ流路系部品取付部３１を形成し、この流路系部品取付部３１（カバー部材３０の外側）に、球払出装置２２とその上流側のパチンコ球流路の構成部品と球タンク１９が取り付けられている。一方、球流下路２３は、カバー部材３０の後壁内面に設けられている。そして、球払出装置２２と球流下路２３との間に介在するカバー部材３０の段差面に、球払出装置２２の球排出口２２ａと球流下路２３の球流入口２３ａとを連通させる連通口３３が形成され、カバー部材３０外側の球払出装置２２から排出されたパチンコ球が、連通口３３を通ってカバー部材３０の内側の球流下路２３に流入するようになっている。
【００２３】
そして、カバー部材３０の固定片部２７に挿通したワンウェイネジ２８を機枠１２の取付部２９に締め込むことで、カバー部材１８が機枠１２に取り付けられ、遊技盤１３とカバー部材３０との間の閉鎖空間内に、遊技盤１３の裏面側の各種の部品（少なくとも各制御基板等の主要な電気・電子部品を含む）が閉じ込められている。
【００２４】
以上説明した実施形態（２）では、球タンク１９から球払出装置２２までのパチンコ球流路の構成部品をカバー部材３０の外側に設けるようにしているので、トラブル（球詰り等）が発生しやすい球払出装置２２やその上流側のパチンコ球流路の構成部品の修理・点検を、パチンコホールでも容易に実施することができ、遊技盤１３の裏面をカバー部材３０で覆った不正防止構造をとりながら、メンテナンス性を確保することができる。
【００２５】
［実施形態（３）］
次に、図５を用いて本発明の実施形態（３）を説明する。
前記実施形態（１）及び（２）では、カバー部材１８，３０を機枠１２に取り付けるようにしたが、本実施形態（３）では、カバー部材３４が、機枠１２に一体成形され、遊技盤１３の裏面側を覆うように後方側に窪ませて形成されている。このカバー部材３４の後壁内面に、球払出装置２２とその上流側のパチンコ球流路の構成部品と基板ケース２５が固定されている。この場合、遊技盤１３は、機枠１２の前方から取り付けられ、遊技盤１３の裏面を機枠１２の内周枠３５に当接させた状態で、遊技盤１３両端部に設けられた固定部３６にワンウェイネジ２８を挿通して機枠１２の取付部３７に締め込むことで、カバー部材３４の開口部が遊技盤１３によって閉鎖され、遊技盤１３とカバー部材３４との間の閉鎖空間内に、遊技盤１３の裏面側の各種の部品（少なくとも各制御基板等の主要な電気・電子部品を含む）が閉じ込められている。
【００２６】
以上説明した実施形態（３）においても、遊技盤１３とカバー部材３４との間の閉鎖空間内に、遊技盤１３の裏面側の部品を閉じ込めるので、カバー部材３４内の部品には手を触れることができなくなり、部品の不正改造、不正交換を未然に防止することができる。      
【００２７】
［実施形態（４）］
次に、図６を用いて本発明の実施形態（４）を説明する。
上記実施形態（１）及び（２）では、カバー部材１８，３０を機枠１２に取り付けるようにしたが、本実施形態（４）では、遊技盤１３の裏面に固定されたカバー取付部３９に挿通したワンウェイネジ２８をカバー部材４０の固定片部４１に締め込むことで、カバー部材４０を遊技盤１３の裏面に取り付けて、遊技盤１３とカバー部材４０との間で閉鎖空間を形成するようにしている。本実施形態（４）では、この閉鎖空間に、不正行為の対象となりやすい主要部品（図示せず）と基板ケース２５を閉じ込めるようにしている。
【００２８】
以上説明した実施形態（４）では、遊技盤１３とカバー部材４０との間の閉鎖空間内に、不正行為の対象となりやすい主要部品と基板ケース２５を閉じ込めるようにしているので、これらの部品に対する不正行為を未然に防止することができる。
【００２９】
［実施形態（５）］
次に、図７を用いて本発明の実施形態（５）を説明する。
上記各実施形態（１）〜（４）では、遊技盤１３とカバー部材との間で閉鎖空間を形成するようにしたが、本実施形態（５）では、遊技盤１３の裏面側に、球払出装置２２やパチンコ球流路の構成部品等の裏部品を取り付けた裏部品取付板４２が配置され、この裏部品取付板４２の両端部に一体成形された取付部４３に、カバー部材４４の固定片部４５に挿通したワンウェイネジ２８を締め込むことで、カバー部材４４を裏部品取付板４２に取り付けて、裏部品取付板４２とカバー部材４４との間で閉鎖空間を形成し、この閉鎖空間に、不正行為の対象となりやすい主要部品（図示せず）と基板ケース２５を閉じ込めるようにしている。
【００３０】
本実施形態（５）においても、裏部品取付板４２とカバー部材４４との間の閉鎖空間内に、遊技盤１３の裏面側の部品を閉じ込めるので、部品の不正改造、不正交換を未然に防止することができる。
【００３１】
尚、裏部品取付板４２に、開口部（例えばセンタ役物配置用）が形成されているような場合は、カバー部材４４を裏部品取付板４２に取り付けることで、遊技盤１３とカバー部材４４との間で閉鎖空間を形成するようにしても良い。
【００３２】
以上説明した各実施形態（２）〜（５）においても、ワンウェイネジ２８による封印箇所の数は、複数回のメンテナンス作業に対応できるように複数回の封印分、設けるようにしても良く、勿論、１回の封印分だけでも良い。
【００３３】
その他、本発明は、カバー部材の形状を適宜変更しても良く、カバー部材で形成する閉鎖空間内に閉じ込める部品も、防犯性とメンテナンス性を考慮して適宜変更すれば良い。また、カバー部材の封印手段は、ワンウェイネジ２８に限定されず、例えば、接着、溶着等を用いても良く、要は、カバー部材又はその周辺部を破壊しなければカバー部材を開放できないように封印できれば良い。
【符号の説明】
【００３４】
１２…機枠、１３…遊技盤、１８…カバー部材、１９…球タンク、２０…タンクレール、２１…球供給路、２２…球払出装置、２３…球流下路、２５…基板ケース、２６…ヒンジ機構、２７…固定片部、２８…ワンウェイネジ（封印手段）、２９…取付部、３０…カバー部材、３１…流路系部品取付部、３４…カバー部材、３６…固定部、３７…取付部、３９…カバー取付部、４０…カバー部材、４２…裏部品取付板、４３…取付部、４４…固定片部
【図１】
0004785209.tif 000002
【図２】
0004785209.tif 000003
【図３】
0004785209.tif 000004
【図４】
0004785209.tif 000005
【図５】
0004785209.tif 000006
【図６】
0004785209.tif 000007
【図７】
0004785209.tif 000008